【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
カメラボディに着脱可能であり、且つ複数の接点が配置された保持部を備えた交換レンズであって、
前記カメラボディとの間で第１の周期でデータ通信を行うための複数の接点を前記保持部に配置した第１の接点群と、
前記カメラボディとの間で、前記第１の周期よりも短い第２の周期でデータ通信を行うための複数の接点を前記保持部に配置した第２の接点群と、
被駆動部材を駆動して変位させる駆動手段と、
前記保持部に配置され、前記カメラボディから前記駆動手段を動作させるための駆動電圧が供給される電源接点と、を備え、
前記保持部において、前記第２の接点群は、前記第１の接点群よりも前記電源接点に近い位置に、一列に並べて配置されていることを特徴とする交換レンズ。
【請求項２】
請求項１に記載の交換レンズにおいて、
前記第１の接点群は、前記カメラボディから出力されたデータ信号の入力、および前記カメラボディに対する第１のレンズデータ信号の出力を行うために設けられており、
前記第２の接点群は、前記第１のレンズデータ信号とは異なる第２のレンズデータ信号を前記カメラボディに対して出力するために設けられていることを特徴とする交換レンズ。
【請求項３】
請求項２に記載の交換レンズにおいて、
前記第１の接点群は、前記データ信号の入力および前記第１のレンズデータ信号の出力を並行して行うために設けられていることを特徴とする交換レンズ。
【請求項４】
請求項１〜３の何れか一項に記載の交換レンズにおいて、
前記第２の接点群は、
前記カメラボディから出力されるクロック信号を入力する第１接点と、
前記クロック信号に同期して前記第２のレンズデータ信号を前記カメラボディに出力する第２接点と、
を含み、
前記保持部において、前記第２接点は、前記第１接点よりも前記電源接点に近い位置に配置されていることを特徴とする交換レンズ。
【請求項５】
請求項１〜４の何れか一項に記載の交換レンズにおいて、
前記第２の接点群は、前記クロック信号に同期しない非同期信号を、前記カメラボディとの間で通信する第３接点を含み、
前記保持部において、前記第３接点は、前記第１接点よりも前記第１の接点群に近い位置に配置されていることを特徴とする交換レンズ。
【請求項６】
請求項１〜５の何れか一項に記載の交換レンズにおいて、
前記複数の接点は、前記駆動電圧に対応する接地端子となる第４接点を含み、
前記保持部において、前記第４接点は、前記第２の接点群と前記電源接点との間で一列に配置されていることを特徴とする交換レンズ。
【請求項７】
請求項１〜６の何れか一項に記載の交換レンズにおいて、
前記複数の接点は、前記保持部に円弧状に一列に並べて配置されることを特徴とする交換レンズ。
【請求項８】
請求項１〜６の何れか一項に記載の交換レンズにおいて、
前記複数の接点は、前記保持部に直線状に一列に並べて配置されることを特徴とする交換レンズ。
【請求項９】
交換レンズを着脱可能であり、且つ複数の接点が配置された保持部を備えるカメラボディであって、
前記交換レンズとの間で第１の周期でデータ通信を行うための複数の接点を前記保持部に配置した第１の接点群と、
前記交換レンズとの間で、前記第１の周期よりも短い第２の周期でデータ通信を行うための複数の接点を前記保持部に配置した第２の接点群と、
前記交換レンズに、被駆動部材を駆動して変位させるための駆動電圧を供給する電源接点と、を備え、
前記保持部において、前記第２の接点群は、前記第１の接点群よりも前記電源接点に近い位置に、一列に並べて配置されていることを特徴とするカメラボディ。
【請求項１０】
請求項９に記載のカメラボディにおいて、
前記第１の接点群は、前記交換レンズに対するデータ信号の出力、および前記交換レンズから出力された第１のレンズデータ信号の入力を行うために設けられており、
前記第２の接点群は、前記第１のレンズデータ信号とは異なる第２のレンズデータ信号を前記交換レンズから入力するために設けられていることを特徴とするカメラボディ。
【請求項１１】
請求項１０に記載のカメラボディにおいて、
前記第１の接点群は、前記データ信号の出力および前記第１のレンズデータ信号の入力を並行して行うために設けられていることを特徴とするカメラボディ。
【請求項１２】
請求項９〜１１の何れか一項に記載のカメラボディにおいて、
前記第２の接点群は、
前記交換レンズに対してクロック信号を出力する第１接点と、
前記クロック信号に同期して前記第２のレンズデータ信号を前記交換レンズから入力する第２接点と、
を含み、
前記保持部において、前記第２接点は、前記第１接点よりも前記電源接点に近い位置に配置されていることを特徴とするカメラボディ。
【請求項１３】
請求項９〜１２の何れか一項に記載のカメラボディにおいて、
前記第２の接点群は、前記クロック信号に同期しない非同期信号を、前記交換レンズとの間で通信する第３接点を含み、
前記保持部において、前記第３接点は、前記第１接点よりも前記第１の接点群に近い位置に配置されていることを特徴とするカメラボディ。
【請求項１４】
請求項９〜１３の何れか一項に記載のカメラボディにおいて、
前記複数の接点は、前記駆動電圧に対応する接地端子となる第４接点を含み、
前記保持部において、前記第４接点は、前記第２の接点群と前記電源接点との間で一列に配置されていることを特徴とするカメラボディ。
【請求項１５】
請求項９〜１４の何れか一項に記載のカメラボディにおいて、
前記複数の接点は、前記保持部に円弧状に一列に並べて配置されることを特徴とするカメラボディ。
【請求項１６】
請求項９〜１４の何れか一項に記載のカメラボディにおいて、
前記複数の接点は、前記保持部に直線状に一列に並べて配置されることを特徴とするカメラボディ。
【手続補正２】
【補正対象書類名】明細書
【補正対象項目名】発明の名称
【補正方法】変更
【補正の内容】
【発明の名称】交換レンズおよびカメラボディ
【手続補正３】
【補正対象書類名】明細書
【補正対象項目名】０００１
【補正方法】変更
【補正の内容】
【０００１】
本発明は、交換レンズおよびカメラボディに関する。
【手続補正４】
【補正対象書類名】明細書
【補正対象項目名】０００５
【補正方法】変更
【補正の内容】
【０００５】
請求項１に係る発明は、カメラボディに着脱可能であり、且つ複数の接点が配置された保持部を備えた交換レンズであって、カメラボディとの間で第１の周期でデータ通信を行うための複数の接点を保持部に配置した第１の接点群と、カメラボディとの間で、第１の周期よりも短い第２の周期でデータ通信を行うための複数の接点を保持部に配置した第２の接点群と、被駆動部材を駆動して変位させる駆動手段と、保持部に配置され、カメラボディから駆動手段を動作させるための駆動電圧が供給される電源接点と、を備え、保持部において、前記第２の接点群は、前記第１の接点群よりも前記電源接点に近い位置に、一列に並べて配置されていることを特徴とする交換レンズである。
請求項９に係る発明は、交換レンズを着脱可能であり、且つ複数の接点が配置された保持部を備えるカメラボディであって、交換レンズとの間で第１の周期でデータ通信を行うための複数の接点を保持部に配置した第１の接点群と、交換レンズとの間で、第１の周期よりも短い第２の周期でデータ通信を行うための複数の接点を保持部に配置した第２の接点群と、交換レンズに、被駆動部材を駆動して変位させるための駆動電圧を供給する電源接点と、を備え、保持部において、第２の接点群は、第１の接点群よりも電源接点に近い位置に、一列に並べて配置されていることを特徴とするカメラボディである。